(57)【要約】【課題】開閉可能なカバーを構成するに当たって、支軸及び軸受けに遊びを確保した場合でも、見映えを損ねるような位置ずれが生じるのを抑制可能なシート搬送装置の提供。【解決手段】シート搬送装置６は、第一軸線を中心に回動可能な第一カバー２６と、第二カバー２７とを備える。第二カバー２７において、第一カバー２６側の端部には、第二外装面２７Ｂよりも装置内側へと凹んで第二外装面２７Ｂとの間に段差をなす縁部２７Ｃが形成される。第一カバー２６が閉位置にある場合、縁部２７Ｃにおける装置外側に第一カバー２６の端部が重ねられる。第一カバー２６に設けられた突設部５３Ａ，５３Ｂと、縁部２７Ｃに形成された切り欠き５５とを含む位置決め機構５７を備える。第一カバー２６が閉位置にある場合に突設部５３Ａ，５３Ｂが切り欠き５５に入り込み、第一軸線と平行な方向について、第一カバー２６と第二カバー２７が相対的に位置決めされる。【選択図】図７
2015193453.tif 000002
【特許請求の範囲】
【請求項１】
所定の搬送経路に沿ってシートを搬送する搬送部と、
前記搬送部へ供給されるシート又は前記搬送部から排出されるシートを支持する支持部と
を備え、
第一外装面と当該第一外装面とは反対側にある第一支持面とを有し、所定の第一軸線を回動中心として閉位置と開位置との間で回動可能で、前記閉位置では前記第一外装面を装置外側に向けて外装の一部を構成し、前記開位置では前記第一支持面でシートを支持する第一支持体として機能して前記支持部の一部を構成する第一カバーと、
第二外装面を有し、前記第一カバーの中心位置を挟んで前記第一軸線とは反対側において前記第一カバーに隣接する位置に配置されて、当該位置で前記第二外装面を装置外側に向けて前記外装の一部を構成する第二カバーと
を備え、
前記第二カバーにおいて、前記第一カバー側の端部には、前記第二外装面よりも装置内側へと凹んで前記第二外装面との間に段差をなす縁部が形成されており、前記第一カバーが前記閉位置にある場合には、前記縁部における装置外側に前記第一カバーの端部が重ねられる構造とされ、
前記第一カバーの前記第一支持面側に設けられ、当該第一支持面から離間する方向へ突出する突設部と、前記縁部に形成された孔又は切り欠きとを含む位置決め機構を備え、前記第一カバーが前記閉位置にある場合に前記突設部が前記孔又は切り欠きに入り込むことにより、前記第一軸線と平行な方向について、前記第一カバーと前記第二カバーが相対的に位置決めされるように構成されている
シート搬送装置。
【請求項２】
前記突設部は、前記第一カバーが前記開位置にある場合には、前記第一支持面からシートが脱落するのを抑制するストッパとして機能する
請求項１に記載のシート搬送装置。
【請求項３】
第二支持面を有し、前記第一カバーが前記閉位置にある場合には、前記第二支持面が前記第一カバーに覆われ、前記第一カバーが前記開位置にある場合には、前記第二支持面が露出して当該第二支持面でシートを支持することで、前記第一支持面とともに前記支持部を構成する第二支持体と、
前記第二支持面に支持されるシートの搬送方向に直交する幅方向の両端それぞれに当接可能な一対の当接面を有し、前記幅方向へスライドすることにより前記一対の当接面間の間隔を変更可能に構成されたサイドガイドと
を備え、
前記突設部は、前記第一カバーが前記閉位置にある場合、前記一対の当接面間の間隔が最小となる位置まで前記サイドガイドをスライドさせた状態にあっても、前記突設部が前記一対の当接面間に収まる位置に設けられている
請求項１又は請求項２に記載のシート搬送装置。
【請求項４】
前記一対のサイドガイドのそれぞれから、前記第二支持面との間に間隔を空けて、前記一対の当接面間側へと延びる一対の延出部
を備え、
前記搬送部へ供給されるシート及び前記搬送部から排出されるシートのうち、いずれか一方を前記第二支持面で支持するとともに、他方を前記延出部で支持するように構成され、
前記一対の延出部は、当該一対の延出部間の間隔が最小となる位置まで前記サイドガイドをスライドさせた状態において、前記一対の延出部間の間隔が第一の間隔となる第一範
囲と、前記第一の間隔よりも大きい第二の間隔となる第二範囲とを有し、
前記突設部は、前記第一カバーが前記閉位置にある場合、前記一対の延出部間の間隔が最小となる位置まで前記サイドガイドをスライドさせた状態にあっても、前記第二範囲において前記突設部が前記一対の延出部間に収まる位置に設けられている
請求項３に記載のシート搬送装置。
【請求項５】
前記第一カバーにおいて、前記第二カバー側の端部には、前記第一カバーを前記閉位置から前記開位置へと回動させる際に、指先をかけることが可能な切り欠き状の手掛け部が形成されている
請求項１〜請求項４のいずれか一項に記載のシート搬送装置。
【請求項６】
前記突設部は、前記手掛け部を挟んで前記幅方向両側となる位置に設けられて、当該位置において前記第一支持面から離間する方向へ突出する一対の突起を含み、
前記一対の突起間の前記幅方向の間隔は、前記基端間においては、前記手掛け部の前記幅方向の寸法以上とされ、前記基端間から前記先端間にかけては、前記先端側ほど拡大するように構成されている
請求項５に記載のシート搬送装置。
【請求項７】
所定の搬送経路に沿ってシートを搬送する搬送部と、
前記搬送部へ供給されるシート又は前記搬送部から排出されるシートを支持する支持部と
を備え、
第一外装面と当該第一外装面とは反対側にある第一支持面とを有し、所定の第一軸線を回動中心として閉位置と開位置との間で回動可能で、前記閉位置では前記第一外装面を装置外側に向けて外装の一部を構成し、前記開位置では前記第一支持面でシートを支持する第一支持体として機能して前記支持部の一部を構成する第一カバーと、
第二外装面を有し、前記第一カバーの中心位置を挟んで前記第一軸線とは反対側において前記第一カバーに隣接する位置に配置されて、当該位置で前記第二外装面を装置外側に向けて前記外装の一部を構成する第二カバーと
を備え、
前記第二カバーにおいて、前記第一カバー側の端部には、前記第二外装面よりも装置内側へと凹んで前記第二外装面との間に段差をなす縁部が形成されており、前記第一カバーが前記閉位置にある場合には、前記縁部における装置外側に前記第一カバーの端部が重ねられる構造とされ、
前記第一カバーの前記第一支持面側に設けられ、当該第一支持面から離間する方向へ突出する第一突設部と、前記縁部に設けられ、当該縁部から前記第一軸線に接近する方向へ突出する第二突設部とを含む位置決め機構を備え、前記第一突設部及び前記第二突設部、いずれか一方の突設部と他方の突設部のうち、前記一方の突設部は一対の突起を含み、前記第一カバーが前記閉位置にある場合に前記他方の突設部が前記一対の突起間に入り込むことにより、前記第一軸線と平行な方向について、前記第一カバーと前記第二カバーが相対的に位置決めされるように構成されている
シート搬送装置。
【請求項８】
前記第一突設部は、前記第一カバーが前記開位置にある場合には、前記第一支持面からシートが脱落するのを抑制するストッパとして機能する
請求項７に記載のシート搬送装置。
【発明の詳細な説明】
【技術分野】
【０００１】
本発明は、シート搬送装置に関する。
【背景技術】
【０００２】
自動原稿送り装置（Automatic Document Feeder；以下、ＡＤＦと略称する。）を備える画像読取装置において、上部のカバーを開いた際に、カバーが給紙トレイ及び排紙トレイとして兼用される構成が提案されている（例えば、特許文献１参照。）。
【０００３】
特許文献１に記載された画像読取装置の場合、装置上面は図中左右方向に並ぶ三つのカバー（以下、左カバー、中央カバー、及び右カバーと称する。）によって構成される。これら三つのカバーのうち、中央カバーは、中央カバーの左端付近において前後方向へ延びる軸線を回動中心にして回動可能に構成されている。中央カバーが閉じられた場合、原稿の供給口及び排出口は中央カバーによって覆われ、左カバー、中央カバー、及び右カバーは、装置上面に平坦な外装面を構成する。中央カバーが開かれた場合、中央カバーは外装面とは反対側にある支持面で原稿を支持可能になり、給紙トレイ及び排紙トレイとして兼用される。
【先行技術文献】
【特許文献】
【０００４】
【特許文献１】特開２０１２−１２６５３０号公報
【発明の概要】
【発明が解決しようとする課題】
【０００５】
ところで、上述のような中央カバーは、スムーズに開閉操作できることが好ましい。そのため、中央カバーを回動可能に支持する支軸及び軸受けには、いくらか遊びが確保されることがある。この場合、中央カバーは、公差の範囲内で前後方向へも僅かに変位可能となる。
【０００６】
しかし、中央カバーを閉じた際に、中央カバーが前後方向へ変位すると、左カバーの前端と中央カバーの前端にずれが生じることがあり、見映えが悪くなるという問題がある。特に、左カバーについても回動可能に構成される場合、左カバーが公差の範囲内で前後方向へ僅かに変位可能な構造にされると、左カバー及び中央カバーのうち、いずれか一方が最も前方へ変位し、他方が最も後方へ変位すると、上述のようなずれは大きくなり、見映えへの影響も大きくなる。
【０００７】
また、以上のような前後方向のずれに加え、左カバーの右端と中央カバーの左端との間には、上下方向のずれが生じる可能性もある。そのため、このような上下方向のずれが生じれば、更に見映えが悪くなるという問題がある。
【０００８】
以上のような事情から、開閉可能なカバーを構成するに当たって、支軸及び軸受けにいくらか遊びを確保した場合でも、見映えを損ねるような位置ずれが生じるのを抑制可能なシート搬送装置を提供することが望ましい。
【課題を解決するための手段】
【０００９】
以下に説明するシート搬送装置は、所定の搬送経路に沿ってシートを搬送する搬送部と、前記搬送部へ供給されるシート又は前記搬送部から排出されるシートを支持する支持部とを備え、第一外装面と当該第一外装面とは反対側にある第一支持面とを有し、所定の第
一軸線を回動中心として閉位置と開位置との間で回動可能で、前記閉位置では前記第一外装面を装置外側に向けて外装の一部を構成し、前記開位置では前記第一支持面でシートを支持する第一支持体として機能して前記支持部の一部を構成する第一カバーと、第二外装面を有し、前記第一カバーの中心位置を挟んで前記第一軸線とは反対側において前記第一カバーに隣接する位置に配置されて、当該位置で前記第二外装面を装置外側に向けて前記外装の一部を構成する第二カバーとを備え、前記第二カバーにおいて、前記第一カバー側の端部には、前記第二外装面よりも装置内側へと凹んで前記第二外装面との間に段差をなす縁部が形成されており、前記第一カバーが前記閉位置にある場合には、前記縁部における装置外側に前記第一カバーの端部が重ねられる構造とされ、前記第一カバーの前記第一支持面側に設けられ、当該第一支持面から離間する方向へ突出する突設部と、前記縁部に形成された孔又は切り欠きとを含む位置決め機構を備え、前記第一カバーが前記閉位置にある場合に前記突設部が前記孔又は切り欠きに入り込むことにより、前記第一軸線と平行な方向について、前記第一カバーと前記第二カバーが相対的に位置決めされるように構成されている。
【００１０】
このように構成されたシート搬送装置によれば、第一カバーが閉位置にある場合には、上述のような位置決め機構において突設部が孔又は切り欠きに入り込む。このとき、孔又は切り欠きを画定している内壁面と突設部は、第一軸線と平行な方向への変位を互いに規制し、これにより、第一カバーと第二カバーは第一軸線と平行な方向について相対的に位置決めされる。したがって、第一カバーをスムーズに回動させるために、第一カバーを第一軸線と平行な方向へいくらか変位可能な状態で支持したとしても、第一カバーを閉位置に変位させた際には、第一カバーと第二カバーが適切に位置決めされる。よって、第一カバー及び第二カバーの見映えを良好にすることができる。
【００１１】
また、縁部と閉位置にある第一カバーとが重なるので、第一カバーと第二カバーは上下方向についても位置決めされる。そのため、このような縁部が設けられていない場合とは異なり、第一カバーと第二カバーが上下方向にずれるのを抑制でき、第一カバー及び第二カバーの見映えを良好にすることができる。しかも、縁部は、第一カバーの端を装置内側から支持する。そのため、第一カバーが第一外装面側から押圧されても、その押圧力を縁部で支えることができる。よって、第一カバーについて、外装としての強度を向上させることができる。
【００１２】
以上のようなシート搬送装置は、更に以下に挙げるような構成を備えていてもよい。
まず、上述のシート搬送装置において、前記突設部は、前記第一カバーが前記開位置にある場合には、前記第一支持面からシートが脱落するのを抑制するストッパとして機能するように構成されていてもよい。
【００１３】
このように構成されたシート搬送装置によれば、第一カバーが開位置にある場合に上述のようなストッパとして機能する部分で、第一カバーと第二カバーの位置決めを行うことができる。したがって、位置決め用の突設部とストッパとをそれぞれ個別に設けなくても済み、装置の構造を簡素化することができる。
【００１４】
また、上述のシート搬送装置は、第二支持面を有し、前記第一カバーが前記閉位置にある場合には、前記第二支持面が前記第一カバーに覆われ、前記第一カバーが前記開位置にある場合には、前記第二支持面が露出して当該第二支持面でシートを支持することで、前記第一支持面とともに前記支持部を構成する第二支持体と、前記第二支持面に支持されるシートの搬送方向に直交する幅方向の両端それぞれに当接可能な一対の当接面を有し、前記幅方向へスライドすることにより前記一対の当接面間の間隔を変更可能に構成されたサイドガイドとを備え、前記突設部は、前記第一カバーが前記閉位置にある場合、前記一対の当接面間の間隔が最小となる位置まで前記サイドガイドをスライドさせた状態にあって
も、前記突設部が前記一対の当接面間に収まる位置に設けられていてもよい。
【００１５】
このように構成されたシート搬送装置によれば、サイドガイドをどのような位置へスライドさせても、突設部は一対の当接面間に収まるので、サイドガイドと突設部が干渉するのを抑制することができる。
【００１６】
また、上述のシート搬送装置は、前記一対のサイドガイドのそれぞれから、前記第二支持面との間に間隔を空けて、前記一対の当接面間側へと延びる一対の延出部を備え、前記搬送部へ供給されるシート及び前記搬送部から排出されるシートのうち、いずれか一方を前記第二支持面で支持するとともに、他方を前記延出部で支持するように構成され、前記一対の延出部は、当該一対の延出部間の間隔が最小となる位置まで前記サイドガイドをスライドさせた状態において、前記一対の延出部間の間隔が第一の間隔となる第一範囲と、前記第一の間隔よりも大きい第二の間隔となる第二範囲とを有し、前記突設部は、前記第一カバーが前記閉位置にある場合、前記一対の延出部間の間隔が最小となる位置まで前記サイドガイドをスライドさせた状態にあっても、前記第二範囲において前記突設部が前記一対の延出部間に収まる位置に設けられている構成とされてもよい。
【００１７】
このように構成されたシート搬送装置によれば、サイドガイドをどのような位置へスライドさせても、突設部は一対の延出部間に収まる。そのため、延出部と突設部が干渉するのを抑制することができる。また、第一範囲では第二範囲よりも一対の延出部間の間隔が小さくされている。そのため、シートの幅方向寸法が小さい場合でも、延出部間の間隔が小さい第一範囲では、より大きな領域でしっかりとシートを支持することができる。また、第一範囲においても第二範囲と同等な間隔を確保してある場合とは異なり、一対の延出部間の間隔が最大となる位置までサイドガイドをスライドさせた際には、一対の延出部間の間隔が過剰に拡大するのを抑制できる。したがって、延出部間の間隔が過大なものに比べ、そのような間隔に入り込むような撓みがシートに生じるのを抑制できる。
【００１８】
また、上述のシート搬送装置は、前記第一カバーにおいて、前記第二カバー側の端部には、前記第一カバーを前記閉位置から前記開位置へと回動させる際に、指先をかけることが可能な切り欠き状の手掛け部が形成されていてもよい。
【００１９】
このように構成されたシート搬送装置によれば、手掛け部に指先を引っ掛けて第一カバーを閉位置から変位させることができる。したがって、同様な手掛け部が設けられていない場合に比べ、第一カバーを開くときの操作性を良好にすることができる。
【００２０】
また、上述のシート搬送装置において、前記突設部は、前記手掛け部を挟んで前記幅方向両側となる位置に設けられて、当該位置において前記第一支持面から離間する方向へ突出する一対の突起を含み、前記一対の突起間の前記幅方向の間隔は、前記基端間においては、前記手掛け部の前記幅方向の寸法以上とされ、前記基端間から前記先端間にかけては、前記先端側ほど拡大するように構成されていてもよい。
【００２１】
このように構成されたシート搬送装置によれば、一対の突起間の間隔が先端側ほど拡大している。そのため、第一カバーの第一外装面に対して垂直な方向から手掛け部を見たときに、一対の突起は第一カバーの陰に隠れる。したがって、各突起は外側から見えにくい状態となり、外観の見映えがよくなる。
【００２２】
次に、以下に説明するシート搬送装置は、所定の搬送経路に沿ってシートを搬送する搬送部と、前記搬送部へ供給されるシート又は前記搬送部から排出されるシートを支持する支持部とを備え、第一外装面と当該第一外装面とは反対側にある第一支持面とを有し、所定の第一軸線を回動中心として閉位置と開位置との間で回動可能で、前記閉位置では前記
第一外装面を装置外側に向けて外装の一部を構成し、前記開位置では前記第一支持面でシートを支持する第一支持体として機能して前記支持部の一部を構成する第一カバーと、第二外装面を有し、前記第一カバーの中心位置を挟んで前記第一軸線とは反対側において前記第一カバーに隣接する位置に配置されて、当該位置で前記第二外装面を装置外側に向けて前記外装の一部を構成する第二カバーとを備え、前記第二カバーにおいて、前記第一カバー側の端部には、前記第二外装面よりも装置内側へと凹んで前記第二外装面との間に段差をなす縁部が形成されており、前記第一カバーが前記閉位置にある場合には、前記縁部における装置外側に前記第一カバーの端部が重ねられる構造とされ、前記第一カバーの前記第一支持面側に設けられ、当該第一支持面から離間する方向へ突出する第一突設部と、前記縁部に設けられ、当該縁部から前記第一軸線に接近する方向へ突出する第二突設部とを含む位置決め機構を備え、前記第一突設部及び前記第二突設部、いずれか一方の突設部と他方の突設部のうち、前記一方の突設部は一対の突起を含み、前記第一カバーが前記閉位置にある場合に前記他方の突設部が前記一対の突起間に入り込むことにより、前記第一軸線と平行な方向について、前記第一カバーと前記第二カバーが相対的に位置決めされるように構成されている。
【００２３】
このように構成されたシート搬送装置によれば、第一カバーが閉位置にある場合には、上述のような位置決め機構において他方の突設部が一対の突起間に入り込む。このとき、一対の突起と他方の突設部は、第一軸線と平行な方向への変位を互いに規制し、これにより、第一カバーと第二カバーは第一軸線と平行な方向について相対的に位置決めされる。したがって、第一カバーをスムーズに回動させるために、第一カバーを第一軸線と平行な方向へいくらか変位可能な状態で支持したとしても、第一カバーを閉位置に変位させた際には、第一カバーと第二カバーが適切に位置決めされる。よって、第一カバー及び第二カバーの見映えを良好にすることができる。
【００２４】
また、縁部と閉位置にある第一カバーとが重なるので、第一カバーと第二カバーは上限方向についても位置決めされる。そのため、このような縁部が設けられていない場合とは異なり、第一カバーと第二カバーが上下方向にずれるのを抑制でき、第一カバー及び第二カバーの見映えを良好にすることができる。しかも、縁部は、第一カバーの端を装置内側から支持する。そのため、第一カバーが第一外装面側から押圧されても、その押圧力を縁部で支えることができる。よって、第一カバーについて、外装としての強度を向上させることができる。
【００２５】
以上のようなシート搬送装置において、前記第一突設部は、前記第一カバーが前記開位置にある場合には、前記第一支持面からシートが脱落するのを抑制するストッパとして機能するように構成されていてもよい。
【００２６】
このように構成されたシート搬送装置によれば、第一カバーが開位置にある場合に上述のようなストッパとして機能する部分で、第一カバーと第二カバーの位置決めを行うことができる。したがって、位置決め用の第一突設部とストッパとをそれぞれ個別に設けなくても済み、装置の構造を簡素化することができる。
【図面の簡単な説明】
【００２７】
【図１】複合機の構成を示すブロック図である。
【図２】図２（Ａ）は中央カバーが閉位置にある状態の読取ユニットを示す縦断面図である。図２（Ｂ）は中央カバーが開位置にある状態の読取ユニットを示す斜視図である。
【図３】図３（Ａ）は中央カバーが閉位置にある状態のＡＤＦユニットを示す斜視図である。図３（Ｂ）は中央カバーが開位置にある状態の読取ユニットを示す斜視図である。
【図４】中央カバーと右カバーの位置関係を説明するための説明図である。
【図５】図５（Ａ）は左カバーの斜視図である。図５（Ｂ）は中央カバーの斜視図である。
【図６】図２（Ａ）中にＶＩ−ＶＩ線で示した切断箇所におけるＡＤＦユニットの断面図である。
【図７】図６に示したＶＩＩ部の拡大図である。
【図８】サイドガイドと突設部の位置関係を説明するための説明図である。
【図９】切り欠き及び突設部を含む位置決め機構の代わりに、第一突設部及び第二突設部を含む位置決め機構が設けられた実施形態を説明するための説明図である。
【発明を実施するための形態】
【００２８】
次に、上述のシート搬送装置の例示的な実施形態について説明する。
［複合機の構成］
図１に示す複合機１は、上述のシート搬送装置の一例に相当する構成を備えるものである。なお、以下の説明においては、複合機１を構成する各部の相対的な位置関係を簡潔に説明するために、図中（図２〜図９）に上下左右前後の各方向を併記し、これらの各方向を利用して説明を行う。これらの各方向のうち、上下方向は複合機１を水平面上に設置した場合における水平面に直交する方向、前方は後述する操作パネル１４側が向けられる方向、後方は前方の反対方向、左右方向は上記前方から複合機１を見た場合における左右方向である。また、可動部品等の向きは変更され得るので、図中に示した方向が常に維持されるとは限らない。
【００２９】
複合機１は、図１に示すように、本体ユニット２と、読取ユニット３とを備える。本体ユニット２の上面には開口部（図示略。）が形成されている。読取ユニット３は、本体ユニット２の上部に取り付けられ、閉位置と開位置との間を変位可能に構成されている。読取ユニット３が閉位置にある場合、本体ユニット２の開口部は読取ユニット３によって閉鎖される。読取ユニット３が開位置にある場合、本体ユニット２の開口部は開放される。なお、この開口部を介して、本体ユニット２内に収容されている構成部品のメンテナンス等を実施可能に構成されている。読取ユニット３は、ＦＢユニット５と、ＡＤＦユニット６（本明細書でいうシート搬送装置の一例に相当。）とを備える。これらＦＢユニット５及びＡＤＦユニット６の構造については後述する。
【００３０】
本体ユニット２には、図１に示すように、制御部１１が設けられている。制御部１１は、周知のＣＰＵ１１Ａ、ＲＯＭ１１Ｂ、ＲＡＭ１１Ｃ、ＮＶＲＡＭ１１Ｄ、及びインターフェース部１１Ｅなどを備える。ＣＰＵ１１Ａは、ＲＯＭ１１ＢやＲＡＭ１１Ｃに記憶された制御プログラムに従って所定の処理を実行し、これにより、複合機１の各部に対する制御が実行される。
【００３１】
制御部１１による制御対象としては、画像形成部１２、ＬＡＮ通信部１３、操作パネル１４、イメージセンサ１５、モータ１６、モータ１７、及びシート検知センサ１８などが設けられている。これらのうち、画像形成部１２、ＬＡＮ通信部１３、及び操作パネル１４は、本体ユニット２に設けられている。イメージセンサ１５、及びモータ１６は、ＦＢユニット５に設けられている。モータ１７、及びシート検知センサ１８は、ＡＤＦユニット６に設けられている。
【００３２】
画像形成部１２は、カット紙等の被記録媒体に対してインクジェット方式で画像を形成可能に構成されている。より詳しくは、画像形成部１２は、被記録媒体を搬送するための搬送機構、インクを噴射する記録ヘッド、及び記録ヘッドを往復移動させるための駆動機構等を備える。ただし、これらは周知の構成なので、これ以上の説明及び図示を省略する。なお、画像形成部１２は、電子写真方式で画像を形成可能に構成されていてもよい。
【００３３】
ＬＡＮ通信部１３は、無線ＬＡＮに対応した通信インターフェース装置及び有線ＬＡＮに対応した通信インターフェース装置によって構成されている。操作パネル１４は、利用者が複合機１に対して各種指令を与える際に操作する入力装置（例えば、タッチパネル、各種ボタン類、及びスイッチ類。）と、複合機１の動作状態などを利用者に通知するための出力装置（例えば、液晶ディスプレイ装置、及び各種ランプ類。）を有する。
【００３４】
イメージセンサ１５は、一方向に配列された複数の読取素子を備える一次元イメージセンサである。本実施形態の場合、密着イメージセンサ（ＣＩＳ；Contact Image Sensor）が採用されている。モータ１６は、イメージセンサ１５の読取素子の配列方向を主走査方向として、主走査方向に直交する副走査方向へイメージセンサ１５を移動させるための動力源である。モータ１７は、ＡＤＦユニット６においてシートを搬送するための動力源である。シート検知センサ１８は、ＡＤＦユニット６において搬送されるシートの搬送方向先端や搬送方向後端が、所定の検出位置を通過したことを検出するセンサである。
【００３５】
シート検知センサ１８としては、本実施形態の場合、搬送中のシートが接触する状態にあるか否かに応じてオンとオフが切り替わる接触式センサが採用されている。ただし、接触式センサを利用するか否かは任意であり、シートの搬送方向先端や搬送方向後端が所定の検出位置を通過したことを非接触で検出可能なセンサを用いてもよい。例えば、搬送中のシートが光路を遮る状態にあるか否かを検出可能な光学式センサや、搬送中のシートによって光が反射されるか否かを検出可能な光学式センサなどを利用し得る。
【００３６】
［読取ユニットの詳細］
次に、読取ユニット３の構造について、更に詳細に説明する。読取ユニット３において、ＡＤＦユニット６には、図２（Ａ）及び図２（Ｂ）に示すように、所定の搬送経路（図２（Ｂ）中に破線で示す経路参照。）に沿ってシートを搬送する搬送部２０が設けられている。この搬送部２０は、吸入ローラ２１、分離ローラ２２Ａ、分離片２２Ｂ、中継ローラ２３Ａ、中継ピンチローラ２３Ｂ、反転ローラ２４Ａ、第一反転ピンチローラ２４Ｂ、及び第二反転ピンチローラ２４Ｃなどを備えている。
【００３７】
ＡＤＦユニット６の上面には、図２（Ａ），図２（Ｂ），図３（Ａ），及び図３（Ｂ）に示すように、中央カバー２６（本明細書でいう第一カバーの一例に相当。）、左カバー２７（本明細書でいう第二カバーの一例に相当。）、及び右カバー２８が設けられている。これらのうち、中央カバー２６は、図２（Ａ）において中央カバー２６の右端付近にある軸支部２６Ａによって回動可能に支持されている（軸支部２６Ａによる回動中心が本明細書でいう第一軸線の一例に相当。）。これにより、中央カバー２６は、図２（Ａ）及び図３（Ａ）に示した閉位置と図２（Ｂ）及び図３（Ｂ）に示した開位置との間を変位可能に構成されている。軸支部２６Ａを構成する支軸及び軸受けは、いずれか一方が中央カバー２６に設けられ、他方がＡＤＦユニット６のハウジング６Ａなどに設けられていればよい。中央カバー２６が閉位置にある場合、中央カバー２６は外装面２６Ｂ（本明細書でいう第一外装面の一例に相当。）を装置外側に向けて装置上面の外装の一部を構成する。中央カバー２６において、左カバー２７側（図２（Ａ）中でいう左側。）の端部には、中央カバー２６を閉位置から開位置へと回動させる際に、指先をかけることが可能な切り欠き状の手掛け部２９が形成されている。中央カバー２６を閉位置から開位置へ変位させる際には、手掛け部２９に指先を引っ掛けて開閉操作を行うことができる。
【００３８】
左カバー２７は、中央カバー２６の中心位置を挟んで軸支部２６Ａとは反対側（図２（Ａ）中でいう右側。）において中央カバー２６に隣接する位置に配置されている。左カバー２７は、図２（Ａ）において左カバー２７の左端付近にある軸支部２７Ａによって回動可能に支持されている。軸支部２７Ａを構成する支軸及び軸受けは、いずれか一方が左カ
バー２７に設けられ、他方がＡＤＦユニット６のハウジング６Ａなどに設けられていればよい。図２（Ａ）及び図３（Ａ）には、左カバー２７が閉位置にある状態を示してある。左カバー２７が閉位置にある場合、左カバー２７は外装面２７Ｂ（本明細書でいう第二外装面の一例に相当。）を装置外側に向けて、中央カバー２６の外装面２６Ｂとともに装置上面の外装の一部を構成する。なお、図示は省略するが、左カバー２７を開位置へと回動させると、搬送部２０が露出する。搬送部２０においてシートが詰まった場合には、左カバー２７を開位置へと回動させて、詰まったシートを取り除くことができる。
【００３９】
右カバー２８は、図２（Ａ）において右カバー２８の右端付近にある軸支部２８Ａによって回動可能に支持されている。これにより、右カバー２８は、図２（Ａ）に示した第一位置と図２（Ｂ）に示した第二位置との間を変位可能に構成されている。軸支部２８Ａを構成する支軸及び軸受けは、いずれか一方が右カバー２８に設けられ、他方がＡＤＦユニット６のハウジング６Ａなどに設けられていればよい。右カバー２８が第一位置にある場合、右カバー２８は外装面２８Ｂを装置外側に向けて、中央カバー２６の外装面２６Ｂ、及び左カバー２７は外装面２７Ｂとともに装置上面の外装の一部を構成する。右カバー２８は、第二位置にある場合、軸支部２８Ａを中心に回動して中央カバー２６側の端部（図２（Ｂ）中でいう左端側の端部。）が下降した傾斜位置となり、開放位置に変位する中央カバー２６との干渉を避ける。
【００４０】
中央カバー２６の周囲のうち、軸支部２６Ａ側（図２（Ａ）中でいう右側。）の端部には、縁部２６Ｃが形成されている。縁部２６Ｃは、中央カバー２６が閉位置にある状態（図２（Ａ）参照。）において、外装面２６Ｂよりも装置内側へと凹む形状とされ、外装面２６Ｂとの間に段差をなすように構成されている。中央カバー２６が閉位置にある場合、右カバー２８は第一位置にあり、右カバー２８の端部（図２（Ａ）中でいう左側の端部。）は、縁部２６Ｃにおける装置外側に重ねられる状態にある。右カバー２８の端部の厚さと縁部２６Ｃと外装面２６Ｂとの間にある段差の厚さは略同寸法とされている。これにより、中央カバー２６の外装面２６Ｂと右カバー２８の外装面２８Ｂは面一に配置されて、二つの外装面２６Ｂ，２８Ｂが両者間に段差のない平坦な面を構成している。
【００４１】
右カバー２８は、図２（Ａ）中でいう右端側にある軸支部２８Ａよりも図２（Ａ）中でいう左方に重心がある。そのため、右カバー２８は、自重によって常に左端側が下降する方向へと付勢される状態にあるが、中央カバー２６が閉位置にある限り、右カバー２８は第一位置に保持される。一方、中央カバー２６は、利用者からの操作を受けると、図４に示すように、閉位置Ｐ０から途中の位置Ｐ１及び位置Ｐ２を経て開位置Ｐ３へと変位する。中央カバー２６が閉位置Ｐ０から途中の位置Ｐ１まで移動する際には、右カバー２８が、自重によって回動し、中央カバー２６に追従して中央カバー２６との接触を維持したまま第二位置（図４中に示す位置。）へと変位する。その後、中央カバー２６が途中の位置Ｐ１から途中の位置Ｐ２を経て開位置Ｐ３まで移動する際には、右カバー２８は第二位置にある状態で維持され、中央カバー２６は右カバー２８から離間する。また、中央カバー２６が、開位置Ｐ３から閉位置Ｐ０へと変位する際には、途中の位置Ｐ１において中央カバー２６の縁部２６Ｃが右カバー２８に当接する。その後、中央カバー２６が、途中の位置Ｐ１から閉位置Ｐ０へと変位する間は、中央カバー２６と右カバー２８との当接を維持したまま、中央カバー２６が閉位置Ｐ０へと変位し、右カバー２８は中央カバー２６から作用する力を受けて第一位置へと変位する。
【００４２】
中央カバー２６が開位置にある場合、中央カバー２６は、搬送部２０へ供給されるシート、及び搬送部２０から排出されるシートを支持する支持部３０の一部を構成する。より詳しくは、中央カバー２６は、開位置にある場合に、外装面２６Ｂの裏側にある第一支持面３１Ａでシートを支持する第一支持体３１として機能する（以下、必要に応じて、中央カバー２６のことを第一支持体３１とも称する。）。中央カバー２６が閉位置にある状態
において、中央カバー２６の下方となる位置には、第二支持面３２Ａを有する第二支持体３２が配設されている。これら第一支持体３１及び第二支持体３２により、上述の支持部３０が構成される。
【００４３】
第二支持体３２上には、サイドガイド３３，３４が設けられている。サイドガイド３３，３４は、第二支持面３２Ａに支持されるシートの搬送方向に直交する幅方向の両端それぞれに当接可能な一対の当接面３３Ａ，３４Ａを有する。また、サイドガイド３３，３４は、シートの幅方向（図３（Ｂ）中でいう前後方向。）へスライドすることにより、一対の当接面３３Ａ，３４Ａ間の間隔を変更可能に構成されている。より詳しくは、サイドガイド３３，３４は、一方に連動して他方が一方とは逆方向へスライドする仕組みになっている。そのため、一対のサイドガイド３３，３４の間隔を変更する際には、一方を操作するだけで、双方が互いに接近する方向、又は双方が互いに離間する方向へスライドさせることができる。
【００４４】
各サイドガイド３３，３４には、各サイドガイド３３，３４の上端から互いに対向する方向へ略水平に延出する延出部３５，３６が設けられている。搬送対象となるシートは、この延出部３５，３６の下方にセットされる。この状態でシートの幅方向両側にある端面に当接面３３Ａ，３４Ａを当接させ、第二支持面３２Ａ上におけるシートのセット位置、及びシートの搬送方向を規制する。これにより、搬送部２０によって搬送されるシートに斜行が発生するのを抑制することができる。延出部３５，３６の下方にセットされるシートは、図２（Ｂ）中に破線で示す搬送経路に沿って搬送される。その際、吸入ローラ２１によって第二支持体３２上から搬送方向下流側へと送り出されるシートは、分離ローラ２２Ａ及び分離片２２Ｂによって１枚ずつに分離される。分離されたシートは、中継ローラ２３Ａによって搬送方向下流側へと送り出される。中継ローラ２３Ａによって送り出されたシートは、シート検知センサ１８との当接に伴って、その先端位置や終端位置が検出される。シート検知センサ１８との当接箇所を通過したシートは、反転ローラ２４Ａによって更に搬送方向下流側へと搬送される。これにより、シートは、延出部３５，３６の上方を経て、第二支持体３２ないし第一支持体３１によって構成される支持部３０上へと排出される。
【００４５】
ＦＢユニット５には、プラテン３９、ガイドレール４１、及びキャリッジ４３などが設けられている。プラテン３９は、ＦＢユニット５の上面において読み取り対象物を支持する支持面を構成する透明なガラス板である。ガイドレール４１は、ＦＢユニット５のハウジング５Ａの底部内面に一体成形されたもので、プラテン３９の下面に対して平行な状態で、図２（Ｂ）中でいう左右方向に延在している。キャリッジ４３は、ガイドレール４１の上側に取り付けられることにより、ガイドレール４１に沿って左右方向へ往復移動可能な状態で支持されている。このキャリッジ４３は、無端状の歯付きベルト（図示略。）に連結され、上述のモータ１６（図１参照。）によって歯付きベルトが循環駆動されると、歯付きベルトに追従してキャリッジ４３が左右方向へ往復移動するように構成されている。
【００４６】
上述のイメージセンサ１５は、上述の主走査方向が図２（Ａ）中でいう前後方向（すなわち、図２（Ａ）中に示す左右方向及び上下方向の双方に垂直な方向。）となり、かつ読取素子が上方に向けられた状態でキャリッジ４３に搭載される。これにより、キャリッジ４３が左右方向へ往復移動すると、イメージセンサ１５がキャリッジ４３とともに副走査方向へ移動することになる。プラテン３９の上面に載置されたシートの画像を読み取る場合、イメージセンサ１５は、キャリッジ４３とともに移動しながら画像を読み取る。また、搬送部２０によって搬送されるシートの画像を読み取る場合、シートは中継ローラ２３Ａと反転ローラ２４Ａとの間となる位置において、プラテン３９の上面に接触しつつ通過する。この接触箇所の下方においてイメージセンサ１５は静止し、プラテン３９を通して
シートの画像を読み取る。
【００４７】
［中央カバーと左カバーの位置決め機構］
次に、中央カバー２６と左カバー２７の位置決め機構について説明する。上述の左カバー２７において、中央カバー２６側（図２（Ａ）中でいう右側。）の端部には、図５（Ａ）に示すように、縁部２７Ｃが形成されている。縁部２７Ｃは、外装面２７Ｂよりも装置内側へと凹む形状とされ、外装面２６Ｂとの間に段差をなすように構成されている。中央カバー２６が閉位置にある場合、中央カバー２６の端部（図２（Ａ）中でいう左側の端部。）は、縁部２７Ｃにおける装置外側に重ねられる状態にある。中央カバー２６の端部の厚さと縁部２７Ｃと外装面２７Ｂとの間にある段差の厚さは略同寸法とされている。これにより、中央カバー２６の外装面２６Ｂと左カバー２７の外装面２７Ｂは面一に配置されて、二つの外装面２６Ｂ，２７Ｂが両者間に段差のない平坦な面を構成している。すなわち、中央カバー２６が閉位置にある場合、その外装面２６Ｂは、その両側にある左カバー２７及び右カバー２８の外装面２７Ｂ，２８Ｂの双方に対し、段差のない平坦な面を構成する。
【００４８】
中央カバー２６の第一支持面３１Ａ側には、図５（Ｂ）に示すように、第一支持面３１Ａから離間する方向へ突出する一対の突起５３Ａ，５３Ｂを有する突設部５３が設けられている。突設部５３は、図２（Ｂ）に示すように、中央カバー２６が開位置にある場合には、第一支持面３１Ａからシートが脱落するのを抑制するストッパとして機能する。左カバー２７の縁部２７Ｃの前後方向中央付近には、図５（Ａ）に示すように、切り欠き５５が形成されている。この切り欠き５５は、図６及び図７に示すように、中央カバー２６が閉位置にある場合に、上述の突設部５３とともに位置決め機構５７を構成する。なお、図６においては、ＡＤＦユニット６を図示し、ＦＢユニット５の図示を省略してある。位置決め機構５７は、突設部５３が切り欠き５５の内側に入り込むことで、中央カバー２６と左カバー２７との相対位置を前後方向に位置決めする機構である。
【００４９】
突起５３Ａの前側と、突起５３Ｂの後側には、それぞれ突条６１，６２が形成されている。切り欠き５５は、切り欠き５５の前側、後側、及び左側が、それぞれ内壁面５５１，５５２，５５３によって画定された形状とされ、切り欠き５５の右側は開放されている。中央カバー２６が閉位置にある場合、突条６１が切り欠き５５の前側の内壁面５５１に当接し、突条６２が切り欠き５５の後側の内壁面５５２に当接する。図７に表れるように、内壁面５５１，５５２は、それぞれ傾斜案内面５５１Ａ，５５２Ａと、位置決め面５５１Ｂ，５５２Ｂとを有する。また、突条６１，６２は、それぞれ傾斜案内面６１Ａ，６２Ａと、位置決め面６１Ｂ，６２Ｂとを有する。
【００５０】
突設部５３が切り欠き５５の内側に入り込む際、仮に中央カバー２６と左カバー２７との相対位置がいくらか前後方向にずれている状態にあったとしても、その場合は、傾斜案内面５５１Ａと傾斜案内面６１Ａとが当接するか、傾斜案内面５５２Ａと傾斜案内面６２Ａとが当接する。これにより、突設部５３が更に切り欠き５５の内側へと押し込まれると、両者が相互に当接した傾斜案内面に沿ってスムーズに摺動して、互いの相対位置が前後方向について矯正される。その結果、中央カバー２６と左カバー２７は適正な相対位置へと案内され、最終的には位置決め面５５１Ｂと位置決め面６１Ｂとが対向する位置、かつ位置決め面５５２Ｂと位置決め面６２Ｂとが対向する位置に収まる。これら位置決め面５５１Ｂ，５５２Ｂ，６１Ｂ，６２Ｂは、いずれも法線方向が中央カバー２６の回動中心となる軸線と平行な方向（図７中でいう前後方向。）を向く面である。よって、これら位置決め面５５１Ｂ，５５２Ｂ，６１Ｂ，６２Ｂが上述のように対向することで、中央カバー２６と左カバー２７は、前後方向の相対位置が設計通りの位置に位置決めされることになる。
【００５１】
突設部５３を構成する一対の突起５３Ａ，５３Ｂは、手掛け部２９を挟んでシートの幅方向（図５（Ｂ）中でいう前後方向。）両側となる位置に設けられて、当該位置において第一支持面３１Ａから離間する方向へ突出している。一対の突起５３Ａ，５３Ｂ間の幅方向の間隔は、突起５３Ａ，５３Ｂの基端間（図７では上端間。）では、手掛け部２９の幅方向の寸法Ｗ１以上（図７では寸法Ｗ１と同寸法。）とされている。突起５３Ａ，５３Ｂの先端間（図７では下端間。）では、上記寸法Ｗ１以上の寸法Ｗ２とされ、基端間から先端間にかけて、突起５３Ａ，５３Ｂ間の幅方向の間隔が拡大するように構成されている。突起５３Ａ，５３Ｂの内面間に上述のような傾斜を付与すれば、中央カバー２６が閉位置にある場合に、切り欠き状の手掛け部２９の真上から手掛け部２９内を見下ろしても、突起５３Ａ，５３Ｂが見えない位置に隠れるので、見映えを良好にすることができる。また、突条６１，６２は、突起５３Ａ，５３Ｂの外側にあり、中央カバー２６が閉位置にある場合には、完全に内部に隠れてしまうので、見映えを良好にすることができる。
【００５２】
サイドガイド３３，３４は、図６内に併記した通り、一対の当接面３３Ａ，３４Ａ間の間隔が最小幅Ｗ３となる位置と、最大幅Ｗ４となる位置との間でスライドする。一対の当接面３３Ａ，３４Ａ間の間隔が最小幅Ｗ３となる位置までサイドガイド３３，３４をスライドさせた状態にあっても、中央カバー２６が閉位置にある場合、突設部５３は一対の当接面３３Ａ，３４Ａ間に収まる。
【００５３】
また、一対の延出部３５，３６は、図８に示すように、第一範囲Ａ１と、第二範囲Ａ２とを有する。第一範囲Ａ１は、一対の延出部３５，３６間の間隔が最小幅Ｗ５となる位置までサイドガイド３３，３４をスライドさせた状態において、一対の延出部３５，３６間の間隔が最小幅Ｗ５となる範囲である。第二範囲Ａ２は、一対の延出部３５，３６間の間隔が最小幅Ｗ５となる位置までサイドガイド３３，３４をスライドさせた状態において、最小幅Ｗ５よりも大きい間隔となる範囲である。一対の延出部３５，３６間の間隔が最小幅Ｗ５となる位置までサイドガイド３３，３４をスライドさせた状態にあっても、中央カバー２６が閉位置にある場合、突設部５３は第二範囲Ａ２に確保される収容空間Ｓ１，Ｓ２おいて一対の延出部３５，３６間に収まる。
【００５４】
そのため、サイドガイド３３，３４がどのような位置へスライドしていたとしても、突設部５３は、確実に一対の当接面３３Ａ，３４Ａ間に収まり、かつ一対の延出部３５，３６間にも収まる。したがって、突設部５３が、サイドガイド３３，３４や延出部３５，３６と干渉するのを抑制することができる。また、延出部３５，３６については、第一範囲Ａ１において延出部３５，３６間の間隔を十分に小さくすることができる。そのため、搬送部２０から排出されるシートの幅方向寸法が小さい場合でも、延出部３５，３６間の隙間にシートが脱落するのを抑制できる。また、搬送部２０から排出されるシートの幅方向寸法が大きい場合でも、延出部３５，３６間の間隔が過剰に拡大するのを抑制できるので、延出部３５，３６間に入り込むような撓みがシートに生じるのを抑制できる。
【００５５】
［効果］
以上説明したような複合機１によれば、中央カバー２６が閉位置にある場合には、上述のような位置決め機構５７により、中央カバー２６と左カバー２７は軸支部２６Ａによる回動中心となる軸線と平行な方向について相対的に位置決めされる。したがって、中央カバー２６をスムーズに回動させるために、中央カバー２６が軸支部２６Ａによる回動中心と平行な方向へいくらか変位可能な状態で支持されていたとしても、中央カバー２６を閉位置に変位させた際には、中央カバー２６と左カバー２７が適切に位置決めされる。よって、中央カバー２６及び左カバー２７の見映えを良好にすることができる。
【００５６】
また、縁部２７Ｃと閉位置にある中央カバー２６とが重なるので、中央カバー２６と左カバー２７は上下方向についても位置決めされる。そのため、このような縁部２７Ｃが設
けられていない場合とは異なり、中央カバー２６と左カバー２７が上下方向にずれるのを抑制でき、中央カバー２６及び左カバー２７の見映えを良好にすることができる。しかも、縁部２７Ｃは、中央カバー２６の端を装置内側から支持する。そのため、中央カバー２６が外装面２６Ｂ側から押圧されても、その押圧力を縁部２７Ｃで支えることができる。よって、中央カバー２６について、外装としての強度を向上させることができる。
【００５７】
また、中央カバー２６が開位置にある場合に、突設部５３は上述のようなストッパとして機能するので、位置決め用の突設部５３とストッパとをそれぞれ個別に設けなくても済み、装置の構造を簡素化することができる。
【００５８】
［他の実施形態］
以上、シート搬送装置について、例示的な構成を挙げて説明したが、本発明は、上述の実施形態に限定されるものではなく、本発明の技術的思想を逸脱しない範囲内において、様々な形態で実施することができる。
【００５９】
例えば、上記実施形態では、突設部５３と切り欠き５５によって位置決め機構５７を構成する例を示したが、切り欠き５５に代えて、突設部５３が入り込むことが可能な孔を設けてもよい。すなわち、切り欠き５５の場合、前側、後側、及び左側が内壁面５５１，５５２，５５３によって画定され、切り欠き５５の右側が開放されていたが、右側に内壁面が存在することで、孔状となっていてもよい。
【００６０】
また、このような切り欠き５５や孔に代えて、左カバー２７側にも突設部を設けて、左カバー２７側と中央カバー２６側の双方にある突設部で位置決め機構を構成してもよい。例えば、図９に示すように、中央カバー２６には、先に説明した実施形態において示した突設部５３とほぼ同様な第一突設部７１（突起７１Ａ，７１Ｂ）を設ける。また、先に説明した実施形態では切り欠き５５が設けられていた箇所に、左カバー２７の右端から更に右方へ向かって突出する第二突設部７２を設ける。第二突設部７２の図９中でいう前後方向の長さは、中央カバー２６が閉位置にある場合に、第二突設部７２の前後両側に第一突設部７１が嵌まり込むような長さとされる。このような第二突設部７２を、切り欠き５５の代わりに設けても、中央カバー２６を閉位置へ変位させると、突起７１Ａ，７１Ｂが上述の収容空間Ｓ１，Ｓ２に配置される。このとき、突起７１Ａ，７１Ｂは、双方の内側間で第二突設部７２の前後両端に当接し、これにより、左カバー２７と中央カバー２６を前後方向について設計通りの位置に位置決めすることができる。
【００６１】
また、図９に例示した構成において、左カバー２７には、第二突設部７２と同方向へ突出する前側突設部７３と後側突設部７４が設けられている。これら第二突設部７２、前側突設部７３、及び後側突設部７４は、縁部２７Ｃ相当の構成として機能する。したがって、第二突設部７２を切り欠き５５の代わりに設けた場合でも、縁部２７Ｃ相当の機能を確保でき、これにより、左カバー２７と中央カバー２６を上下方向について設計通りの位置に位置決めすることができる。
【００６２】
なお、上記実施形態では、シート搬送装置の一例として、複合機１が備えるＡＤＦユニット６を例示したが、複合機として構成されているか否かは任意であり、単機能の画像読取装置、コピー機、ファクシミリ装置などにおいて、上述のような構成を採用してもよい。
【符号の説明】
【００６３】
１…複合機、２…本体ユニット、３…読取ユニット、５…ＦＢユニット、５Ａ…ハウジング、６…ＡＤＦユニット、１１…制御部、１１Ａ…ＣＰＵ、１１Ｂ…ＲＯＭ、１１Ｃ…ＲＡＭ、１１Ｄ…ＮＶＲＡＭ、１１Ｅ…インターフェース部、１２…画像形成部、１３…
ＬＡＮ通信部、１４…操作パネル、１５…イメージセンサ、１６…モータ、１７…モータ、１８…シート検知センサ、２０…搬送部、２１…吸入ローラ、２２Ａ…分離ローラ、２２Ｂ…分離片、２３Ａ…中継ローラ、２３Ｂ…中継ピンチローラ、２４Ａ…反転ローラ、２４Ｂ…第一反転ピンチローラ、２４Ｃ…第二反転ピンチローラ、２６…中央カバー、２６Ａ…軸支部、２６Ｂ…外装面、２６Ｃ…縁部、２７…左カバー、２７Ａ…軸支部、２７Ｂ…外装面、２７Ｃ…縁部、２８…右カバー、２８Ａ…軸支部、２８Ｂ…外装面、２９…手掛け部、３０…支持部、３１…第一支持体、３１Ａ…第一支持面、３２…第二支持体、３２Ａ…第二支持面、３３，３４…サイドガイド、３３Ａ，３４Ａ…当接面、３５，３６…延出部、３９…プラテン、４１…ガイドレール、４３…キャリッジ、５３…突設部、５３Ａ，５３Ｂ…突起、５５…切り欠き、５５１，５５２，５５３…内壁面、５７…位置決め機構、６１，６２…突条、７１…第一突設部、７２…第二突設部、７３…前側突設部、７４…後側突設部。
【図１】
2015193453.tif 000003
【図２】
2015193453.tif 000004
【図３】
2015193453.tif 000005
【図４】
2015193453.tif 000006
【図５】
2015193453.tif 000007
【図６】
2015193453.tif 000008
【図７】
2015193453.tif 000009
【図８】
2015193453.tif 000010
【図９】
2015193453.tif 000011